(57)【要約】【課題】十分に高い冷却効率、あるいは加温効率を得ることができる自動販売機を提供すること。【解決手段】前面に開口を有する本体キャビネット１０と、この本体キャビネット１０の内壁面に配設された断熱部材３１ａ〜３１ｅにより内面が形成された商品収容室３０と、上記本体キャビネット１０の底壁面に配設された断熱部材３１ｂの上面を覆う態様で配置した金属から成る底板部材３２とを備えた自動販売機において、上記商品収容室３０の内部に配設したダクト３３ａ，３３ｂ，３３ｃを上記底板部材３２と一体に形成し、該ダクト３３ａ，３３ｂ，３３ｃを介して商品収容室３０の内部雰囲気を循環させたものである。【選択図】        図４
2005085036.tif 000002
【特許請求の範囲】
【請求項１】
前面に開口を有する自動販売機本体と、
前記自動販売機本体の内壁面に配設された断熱部材により内面が形成された商品収容室と、
前記自動販売機本体の底壁面に配設された断熱部材の上面を覆う態様で配置した金属から成る底板部材と
を備えた自動販売機において、
前記商品収容室の内部に配設したダクトを前記底板部材と一体に形成し、該ダクトを介して前記商品収容室の内部雰囲気を循環させたことを特徴とする自動販売機。
【請求項２】
前面に開口を有する自動販売機本体の内壁面に配設された断熱部材で内面が形成され、かつ、前記自動販売機本体の底壁面に配設された断熱部材の上面を覆う態様で金属から成る底板部材が配置された商品収容室を備え、
前記商品収容室を断熱仕切部材で仕切ることにより、商品を決められた温度状態に保持して収容する複数の商品収容庫が並設された自動販売機において、
一の商品収容庫と、該一の商品収容庫に隣接する他の商品収容庫との温度状態が異なる場合に、前記一の商品収容庫を構成する底板部材と、前記他の商品収容庫を構成する底板部材とを別体に形成し、
前記一の商品収容庫の内部に配設したダクトを、前記一の商品収容庫を構成する底板部材に一体に形成し、該ダクトを介して前記一の商品収容庫の内部雰囲気を循環させ、かつ、前記他の商品収容庫の内部に配設したダクトを、前記他の商品収容庫を構成する底板部材に一体に形成し、該ダクトを介して前記他の商品収容庫の内部雰囲気を循環させたことを特徴とする自動販売機。
【発明の詳細な説明】
【技術分野】
【０００１】
本発明は、例えば缶入り飲料、瓶入り飲料、紙パック入り飲料およびペットボトル入り飲料等の各種商品を冷却した状態、あるいは加温した状態で販売する自動販売機に関し、より詳細には、商品を収容するための商品収容室の構造に工夫を施した自動販売機に関する。
【背景技術】
【０００２】
近年、例えば缶入り飲料、瓶入り飲料、紙パック入り飲料およびペットボトル入り飲料等の各種商品を販売する自動販売機として、内箱が存在しないで商品を収容するための商品収容室が形成された自動販売機が知られている。
【０００３】
この種の自動販売機は、前面に開口を有する自動販売機本体の内壁面に、それぞれの面方向に沿って配設された断熱部材により内面が形成され、該自動販売機本体の底壁面に配設された断熱部材の上面（内表面）を覆う態様で底板部材が配置された商品収容室を備えている（例えば、特許文献１）。
【０００４】
図５は、この種の自動販売機における商品収容室の一例を簡略的に示した斜視図である。この図５に示したように、商品収容室３００は、自動販売機本体１００（図７参照）の内部において、天井部、底部、背面部および両側部がパネル状の断熱部材３１０ａ〜３１０ｅにより囲繞され、底部にある断熱部材３１０ｂの上面を覆う態様で板金から成る底板部材３２０が配置されて形成されている。この商品収容室３００は、自動販売機本体１００と同様に前面に開口を有している。商品収容室３００の前面開口は、該前面開口を覆うのに十分な大きさを有し、かつ断熱構造を有する内扉２１０（図９参照）により開閉可能になっている。底板部材３２０には、図６に示したように、室内で発生した水分を室外へ排出するための排水通路３７０ａ，３７０ｂ，３７０ｃがプレス加工等により形成されている。この底板部材３２０は、底部にある断熱部材３１０ｂを保護するための保護部材として、あるいは室内に様々な部品を取り付けるためのベース部材としての種々の機能を果たすものである。
【０００５】
このような商品収容室は、図７に示したように、例えば二つの断熱仕切板４１０，４２０で仕切ることにより、三つの商品収容庫１３０ａ，１３０ｂ，１３０ｃが並設されている。これら商品収容庫１３０ａ，１３０ｂ，１３０ｃは、いずれかを収容された商品を冷却するための商品冷却庫として、その他を収容された商品を加温するための商品加温庫または常温で保存する常温保存庫として運転されるものである。
【０００６】
そして、商品収容庫１３０ａ，１３０ｂ，１３０ｃのそれぞれの内部の背面側には、商品収容庫１３０ａ，１３０ｂ，１３０ｃの内部において冷気、あるいは暖気を循環させるための循環ダクト４４０ａ，４４０ｂ，４４０ｃが配設されている。循環ダクト４４０ａ，４４０ｂ，４４０ｃは、図８に示したように、その底部４４１が底板部材３２０の背部３２２にネジ止めされて固定されている。より詳細に説明すると、このような循環ダクト４４０ａ，４４０ｂ，４４０ｃは、図９に示したように、各商品収容庫１３０ａ，１３０ｂ，１３０ｃの内部において、その中央領域の高さにあるダクト吸込口４４２より吸い込んだ空気（内部雰囲気）を、その下部にあるヒータや蒸発器等の熱源Ｈおよび庫内ファンＦまで導くものである。これにより、熱源Ｈにおいて冷却、あるいは加温された空気は、庫内ファンＦの作用により、商品収容庫１３０ａ，１３０ｂ，１３０ｃの内部に吹き出され、再びダクト吸込口４４２に進入することになる。
【０００７】
【特許文献１】特開２０００−１６３６３９号公報
【発明の開示】
【発明が解決しようとする課題】
【０００８】
ところが、上記自動販売機では、底板部材３２０は、排水通路３７０ａ，３７０ｂ，３７０ｃがプレス加工等により形成されているために歪んでいることがある。そのため、かかる底板部材３２０の背部３２２に底部４４１がネジ止めされた循環ダクト４４０ａ，４４０ｂ，４４０ｃと、該底板部材３２０との間には、組立誤差が生じやすく、かかる組立誤差により両者の間に間隙が生じてしまうことがある。このように循環ダクト４４０ａ，４４０ｂ，４４０ｃと底板部材３２０との間に間隙が生じてしまうと、ダクト吸込口４４２からの空気が間隙から漏れてしまうことになる。そのため、ダクト吸込口４４２から吸い込んだ空気を熱源Ｈおよび庫内ファンＦの配設個所まで有効に送出することができなくなる。これにより、熱源Ｈにおいて冷却、あるいは加温された空気の量が低下してしまうことになり、その結果、各商品収容庫１３０ａ，１３０ｂ，１３０ｃの内部に収容された商品の冷却効率、あるいは加温効率が低いものになってしまう。
【０００９】
本発明は、上記実情に鑑みて、十分に高い冷却効率、あるいは加温効率を得ることができる自動販売機を提供することを目的とする。
【課題を解決するための手段】
【００１０】
上記目的を達成するために、本発明の請求項１に係る自動販売機は、前面に開口を有する自動販売機本体と、前記自動販売機本体の内壁面に配設された断熱部材により内面が形成された商品収容室と、前記自動販売機本体の底壁面に配設された断熱部材の上面を覆う態様で配置した金属から成る底板部材とを備えた自動販売機において、前記商品収容室の内部に配設したダクトを前記底板部材と一体に形成し、該ダクトを介して前記商品収容室の内部雰囲気を循環させたことを特徴とする。
【００１１】
また、本発明の請求項２に係る自動販売機は、前面に開口を有する自動販売機本体の内壁面に配設された断熱部材で内面が形成され、かつ、前記自動販売機本体の底壁面に配設された断熱部材の上面を覆う態様で金属から成る底板部材が配置された商品収容室を備え、前記商品収容室を断熱仕切部材で仕切ることにより、商品を決められた温度状態に保持して収容する複数の商品収容庫が並設された自動販売機において、一の商品収容庫と、該一の商品収容庫に隣接する他の商品収容庫との温度状態が異なる場合に、前記一の商品収容庫を構成する底板部材と、前記他の商品収容庫を構成する底板部材とを別体に形成し、前記一の商品収容庫の内部に配設したダクトを、前記一の商品収容庫を構成する底板部材に一体に形成し、該ダクトを介して前記一の商品収容庫の内部雰囲気を循環させ、かつ、前記他の商品収容庫の内部に配設したダクトを、前記他の商品収容庫を構成する底板部材に一体に形成し、該ダクトを介して前記他の商品収容庫の内部雰囲気を循環させたことを特徴とする。
【発明の効果】
【００１２】
本発明の請求項１に記載の自動販売機によれば、商品収容室の内部に配設したダクトを底板部材と一体に形成し、該ダクトを介して商品収容室の内部雰囲気を循環させたので、底板部材がプレス加工等の影響で歪んでいても、ダクトと底板部材との気密性は非常に高く、両者の間に間隙が生ずることはない。そのため、かかる間隙から内部雰囲気が漏れてしまう虞れがなく、吸い込んだ内部雰囲気を熱源および庫内ファンの配設個所まで有効に送出することができ、これにより、商品収容室の内部に収容された商品の冷却効率、あるいは加温効率を十分に高いものにすることができるという効果を奏する。
【００１３】
本発明の請求項２に記載の自動販売機によれば、一の商品収容庫の内部に配設したダクトを、該一の商品収容庫を構成する底板部材に一体に形成し、該ダクトを介して該一の商品収容庫の内部雰囲気を循環させ、かつ、他の商品収容庫の内部に配設したダクトを、該他の商品収容庫を構成する底板部材に一体に形成し、該ダクトを介して該他の商品収容庫の内部雰囲気を循環させたので、底板部材がプレス加工等の影響で歪んでいても、ダクトと底板部材との気密性が非常に高く、両者の間に間隙が生ずることはない。そのため、かかる間隙から内部雰囲気が漏れてしまう虞れがなく、吸い込んだ内部雰囲気を熱源および庫内ファンの配設個所まで有効に送出することができ、これにより、商品収容室の内部に収容された商品の冷却効率、あるいは加温効率を十分に高いものにすることができるという効果を奏する。また、一の商品収容庫と、該一の商品収容庫に隣接する他の商品収容庫との温度状態が異なる場合に、一の商品収容庫を構成する底板部材と、他の商品収容庫を構成する底板部材とを別体に形成したので、一の商品収容庫と他の商品収容庫との間における熱移動を確実に遮断することができる。そのため、一の商品収容庫での熱的なロスおよび他の商品収容庫での熱的なロスが生ずる虞れがなく、一の商品収容庫での温度状態を保持するための運転に要する電力と、他の商品収容庫での温度状態を保持するための運転に要する電力が必要最小限にすることができる。従って、自動販売機全体での消費電力量の低減を図ることができるという効果を奏する。
【発明を実施するための最良の形態】
【００１４】
以下に添付図面を参照して、本発明に係る自動販売機の好適な実施例について詳細に説明する。尚、この実施例により本発明が限定されるものではない。
【実施例】
【００１５】
図１および図２は、本発明の実施例に係る自動販売機の要部を簡略的に示したものであり、図１は分解斜視図であり、図２は正面断面図である。尚、上述の図５〜図９と同一の構成を有するものには、同一の符号を付してその説明を省略する。これら図１および図２において、自動販売機は、自動販売機本体である本体キャビネット１０と、外扉２０と、商品収容室３０とを備えて構成してある。
【００１６】
本体キャビネット１０は、前面が開口した直方状の形態を有し、例えば板金から形成したものである。この本体キャビネット１０には、大きさの異なる二つの直方状の凹部が形成してある。これら凹部のうち、上方側の第一凹部１１は、詳細は後述するが、商品収容室３０を形成するための領域であり、下方側の第二凹部１２は、コンプレッサー等を配置するための機械室を形成するための領域である。
【００１７】
外扉２０は、本体キャビネット１０の前面開口を覆うに十分な大きさを有したもので、鋼材により堅牢に形成してある。この外扉２０は、本体キャビネット１０の前面開口を開閉可能にする態様で該本体キャビネット１０の前面の一側に支承してある。また、図には明示しないが、外扉２０の表面側には、商品見本を展示する展示室と、展示した商品を選択する選択ボタンと、硬貨を投入する硬貨投入口と、紙幣を投入する紙幣投入口と、商品を取り出すための商品取出口と、硬貨を返却する硬貨返却口とが配設してある。更に、外扉２０の裏面側には、自動販売機を制御する制御基板と、硬貨投入口から硬貨を受け入れて釣銭を硬貨返却口に放出する硬貨処理装置と、紙幣投入口から紙幣を受け入れる紙幣処理装置とが配設してある。
【００１８】
商品収容室３０は、その内部に商品を収容するためのものであり、本体キャビネット１０の内部に設けてある。より詳細に説明すると、商品収容室３０は、複数の断熱部材３１ａ〜３１ｅと、底板部材３２、循環ダクト３３ａ，３３ｂ，３３ｃとを備えて構成してある。
【００１９】
複数の断熱部材３１ａ〜３１ｅは、それぞれパネル状の形状を有しており、例えばウレタン樹脂等の発泡体を基材として、この基材の表面にポリエチレンテレフタレート（ＰＥＴ）等の表面材が形成されたものである。これら複数の断熱部材３１ａ〜３１ｅは、本体キャビネット１０の第一凹部１１の内壁面に、それぞれの面方向に沿って配設してある。具体的に説明すると、断熱部材３１ａは、第一凹部１１の天井壁面１１ａに沿って配設してあり、断熱部材３１ｂは、第一凹部１１の底壁面１１ａにその面方向に沿って配設してあり、断熱部材３１ｃは、第一凹部１１の背壁面１１ｃにその面方向に沿って配設してあり、断熱部材３１ｄは、第一凹部１１の左側壁面１１ｄにその面方向に沿って配設してあり、断熱部材３１ｅは、第一凹部１１の右側壁面１１ｅにその面方向に沿って配設してある。各断熱部材間の相互接合部位は、例えばシリコーン樹脂等のシール材で封止してある。このように、商品収容室３０は、本体キャビネット１０（第一凹部１１）の内部において、第一凹部１１の形状に対応して直方状の形状を有し、天井部、底部、背面部および両側部が断熱部材３１ａ〜３１ｅにより囲繞されて内面が形成してある。
【００２０】
底板部材３２は、板金から形成されたものであり、第一凹部１１の底壁面１１ｂに配設した断熱部材３１ｂの上面を覆う態様で配置してある。この底板部材３２についての説明は、後述することにする。
【００２１】
このような商品収容室３０は、本体キャビネット１０（第一凹部１１）と同様に前面に開口を有している。また、図には明示していないが、本体キャビネット１０の前面部の一側には、外扉２０とは別体にした内扉が設けてある。内扉は、商品収容室３０の前面開口を覆うに十分な大きさであり断熱構造を有している。
【００２２】
また、商品収容室３０は、例えば二つの断熱仕切板４１，４２で仕切ることにより、三つの商品収容庫１３ａ，１３ｂ，１３ｃが並設される。これら商品収容庫１３ａ，１３ｂ，１３ｃは、いずれかを収容された商品を冷却するための商品冷却庫として、その他を収容された商品を加温するための商品加温庫として運転するものである。本実施例においては、左側商品収容庫１３ａおよび右側商品収容庫１３ｃを商品冷却庫として、中央商品収容庫１３ｂを商品加温庫として説明する。
【００２３】
ここで、上述した底板部材３２について説明する。図３は、本発明の実施例に係る自動販売機の商品収容室を構成する底板部材を示した平面図である。この図３も用いて上記底板部材３２について説明する。底板部材３２は、商品冷却庫１３ａ，１３ｃを構成する部分３２ａ，３２ｃと、商品加温庫１３ｂを構成する部分３２ｂとを分割して、それぞれを別体にしてあり、それぞれの構成部分間に間隙３４，３５が設けてある。これら間隙３４，３５に上記断熱仕切板４１，４２を進入させて商品収容室３０を仕切ることにより、上記商品収容庫１３ａ，１３ｂ，１３ｃが形成されることになる。また、底板部材３２において、商品収容庫（商品冷却庫、商品加温庫）１３ａ，１３ｂ，１３ｃの構成部分３２ａ，３２ｂ，３２ｃには、その前部３６ａおよび両側部前部３６ｂ，３６ｃに切り起しが設けてあるとともに、商品収容庫１３ａ，１３ｂ，１３ｃの内部で発生した水分を商品収容庫１３ａ，１３ｂ，１３ｃの外部へ排出するための排水通路３７ａ，３７ｂ，３６ｃが設けてある。
【００２４】
図４は、上記自動販売機の商品収容室を構成する底板部材および循環ダクトの一部を拡大して示した斜視図である。この図４において、循環ダクト３３ａ，３３ｂ，３３ｃは、各商品収容庫１３ａ，１３ｂ，１３ｃの背面側に配設してあり、各商品収容庫１３ａ，１３ｂ，１３ｃの内部において冷気、あるいは暖気を循環させるためのものである。これら循環ダクト３３ａ，３３ｂ，３３ｃは、それぞれの上部背面に設けた突起片３３１を背面側の断熱部材３１ｃに突き刺して該断熱部材３１ｃと係合するとともに、その底部３３２が対応する底板部材３２の構成部分３２ａ，３２ｂ，３２ｃの各背部３２１と一体的に形成されている。つまり、循環ダクト３３ａ，３３ｂ，３３ｃは、対応する底板部材３２の構成部分３２ａ，３２ｂ，３２ｃと一体となっている。このような循環ダクト３３ａ，３３ｂ，３３ｃは、各商品収容庫１３ａ，１３ｂ，１３ｃの内部において、該循環ダクト３３ａ，３３ｂ，３３ｃの上部にあるダクト吸込口３３３より吸い込んだ空気（内部雰囲気）をその下部にあるガス供給口３３４を通じて商品収容庫１３ａ，１３ｂ，１３ｃの下部にある熱源および庫内ファン（ともに図示せず）まで導くものである。これにより、熱源において冷却、あるいは加温された空気は、庫内ファンの作用により、商品収容庫１３ａ，１３ｂ，１３ｃの内部に吹き出され、再びダクト吸込口３３３に進入することになる。
【００２５】
以上のような構成の自動販売機によれば、循環ダクト３３ａ，３３ｂ，３３ｃが対応する底板部材３２の構成部分３２ａ，３２ｂ，３２ｃと一体となっているので、底板部材３２がプレス加工等の影響で歪んでいても、循環ダクト３３ａ，３３ｂ，３３ｃと底板部材３２との気密性が非常に高く、両者の間に間隙が生ずることはない。そのため、循環ダクト３３ａ，３３ｂ，３３ｃと底板部材３２との間から空気が吸い込まれる虞れがなく、ダクト吸込口３３３から吸い込んだ空気のみを熱源および庫内ファンの配設個所まで有効に送出することができ、これにより、各商品収容庫１３ａ，１３ｂ，１３ｃの内部に収容された商品の冷却効率、あるいは加温効率を十分に高いものにすることができる。
【００２６】
また、上記自動販売機によれば、底板部材３２が、商品冷却庫１３ａ，１３ｃを構成する部分３２ａ，３２ｃと、商品加温庫１３ｂを構成する部分３２ｂとを分割してそれぞれを別体にしてあるため、商品冷却庫１３ａ，１３ｃと商品加温庫１３ｂとの間における熱移動を確実に遮断することができる。そのため、商品冷却庫１３ａ，１３ｃでの冷却熱のロスおよび商品加温庫１３ｂでの加温熱のロスが生じる虞れがなく、商品冷却庫１３ａ，１３ｃでの冷却運転に要する電力と、商品加温庫１３ｂの加温運転に要する電力が必要最小限にすることができる。従って、自動販売機全体での消費電力量の低減を図ることができる。
【００２７】
以上、本発明の実施例について詳細に説明したが、本発明はこれに限定されるものではなく、種々の変更を行うことができる。例えば、上述の実施例においては、底板部材３２は、商品冷却庫１３ａ，１３ｃを構成する部分３２ａ，３２ｃと、商品加温庫１３ｂを構成する部分３２ｂとを分割してそれぞれを別体にしてあったが、本発明では、これら各構成部分が一体となった底板部材でも良い。かかる底板部材と、各商品収容庫の背面側に配設されたダクトとが一体であれば、上述の実施例と同様の作用効果を奏することができる。
【産業上の利用可能性】
【００２８】
以上のように、本発明に係る自動販売機は、例えば缶入り飲料、瓶入り飲料、紙パック入り飲料およびペットボトル入り飲料等の各種商品を冷却した状態、あるいは加温した状態で販売に有用である。
【図面の簡単な説明】
【００２９】
【図１】本発明の実施例に係る自動販売機の要部を簡略的に示した分解斜視図である。
【図２】本発明の実施例に係る自動販売機の要部を簡略的に示した正面断面図である。
【図３】本発明の実施例に係る自動販売機の商品収容室を構成する底板部材を示した平面図である。
【図４】本発明の実施例に係る自動販売機の商品収容室を構成する底板部材および循環ダクトの一部を拡大して示した斜視図である。
【図５】従来の自動販売機における商品収容室の一例を簡略的に示した斜視図である。
【図６】図５における底板部材を示した平面図である。
【図７】従来の自動販売機の要部を簡略的に示した正面断面図である。
【図８】従来の自動販売機の商品収容室を構成する底板部材および循環ダクトの一部を示した斜視図である。
【図９】従来の自動販売機の側断面図である。
【符号の説明】
【００３０】
１０    本体キャビネット
１１    第一凹部
１２    第二凹部
１３ａ，１３ｂ，１３ｃ    商品収容庫
２０    外扉
３０    商品収容室
３１ａ〜３１ｅ    断熱部材
３２    底板部材
３２ａ，３２ｂ，３２ｃ    構成部分
３３ａ，３３ｂ，３３ｃ    循環ダクト
３３１    突起片
３３２    底部
３３３    ダクト吸込口
３３４    ガス供給口
３４，３５    間隙
３６ａ    前部
３６ｂ，３６ｃ    両側部
３７ａ，３７ｂ，３７ｃ    排水通路
４１，４２    断熱仕切板
【図１】
2005085036.tif 000003
【図２】
2005085036.tif 000004
【図３】
2005085036.tif 000005
【図４】
2005085036.tif 000006
【図５】
2005085036.tif 000007
【図６】
2005085036.tif 000008
【図７】
2005085036.tif 000009
【図８】
2005085036.tif 000010
【図９】
2005085036.tif 000011